【手続補正書】
【提出日】平成28年9月16日(2016.9.16)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
マクロノードの動作特性に従って複数のマクロセットを形成することと、
前記複数のマクロセットのうちの少なくとも１つのアクティブマクロセットからのデータを含む少なくとも１つの擬似オールモストブランクサブフレーム（ＡＢＳ）を形成することと、
範囲拡大リソースによって使用されることになるパーティションを与えるために複数のサブフレームを区分することと、ここにおいて前記区分された複数のサブフレームのうちの少なくとも１つのサブフレームが、前記形成された擬似ＡＢＳのうちの少なくとも１つを含む、
を備える、方法。
【請求項２】
前記動作特性が前記マクロノードのセクタ化を含み、前記方法は、
前記マクロノードに対応する複数のセクタを指定することをさらに備え、ここにおいて前記複数のマクロセットが、前記指定された複数のセクタに対応して形成される、
請求項１に記載の方法。
【請求項３】
ピコノードが擬似ＡＢＳ内でのユーザ機器への送信をスケジュールすることをさらに備える、請求項１に記載の方法。
【請求項４】
前記範囲拡大リソースのための前記パーティションがＡＢＳと擬似ＡＢＳの両方を含む、請求項１に記載の方法。
【請求項５】
前記範囲拡大リソースのための前記パーティションが、複数のマクロセットを有する複数の擬似ＡＢＳを含む、請求項１に記載の方法。
【請求項６】
範囲拡大ＵＥのプロパティに対応するデータを受信することと、
前記受信されたデータに少なくとも部分的に基づいて擬似ＡＢＳ中でどのマクロセットがアクティブになるかを判断することと
をさらに備える、請求項１に記載の方法。
【請求項７】
範囲拡大ＵＥのプロパティに対応する前記受信されたデータが、前記ＵＥの干渉消去能力に関するデータと、１つまたは複数のセルからの観測された信号電力データとのうちの少なくとも１つを含む、請求項６に記載の方法。
【請求項８】
ワイヤレス通信のために構成された装置であって、
マクロノードの動作特性に従って複数のマクロセットを形成するための手段と、
前記複数のマクロセットのうちの少なくとも１つのアクティブマクロセットからのデータを含む少なくとも１つの擬似ＡＢＳを形成するための手段と、
範囲拡大リソースによって使用されることになるパーティションを与えるために複数のサブフレームを区分するための手段と、ここにおいて前記区分された複数のサブフレームのうちの少なくとも１つのサブフレームが、前記形成された擬似ＡＢＳのうちの少なくとも１つを含む、
を備える、装置。
【請求項９】
前記動作特性が前記マクロノードのセクタ化を含み、前記装置は、
前記マクロノードに対応する複数のセクタを指定するための手段をさらに備え、ここにおいて前記複数のマクロセットが、前記指定された複数のセクタに対応して形成される、
請求項８に記載の装置。
【請求項１０】
擬似ＡＢＳ内での範囲拡大ユーザ機器への送信をスケジュールするための手段をさらに備える、請求項８に記載の装置。
【請求項１１】
前記範囲拡大リソースのための前記パーティションがＡＢＳと擬似ＡＢＳの両方を含む、請求項８に記載の装置。
【請求項１２】
前記範囲拡大リソースのための前記パーティションが、複数のマクロセットを有する複数の擬似ＡＢＳを含む、請求項８に記載の装置。
【請求項１３】
範囲拡大ＵＥのプロパティに対応するデータを受信するための手段と、
前記受信されたデータに少なくとも部分的に基づいて擬似ＡＢＳ中でどのマクロセットがアクティブになるかを判断するための手段と
をさらに備える、請求項８に記載の装置。
【請求項１４】
範囲拡大ＵＥのプロパティに対応する前記受信されたデータが、前記ＵＥの干渉消去能力に関するデータと、１つまたは複数のセルからの観測された信号電力データとのうちの少なくとも１つを含む、請求項１３に記載の装置。
【請求項１５】
請求項１乃至７のうちの１つの方法の全てのステップを実装するようにコンピュータ実行可能であるプログラム命令を備える、コンピュータプログラム。
【手続補正２】
【補正対象書類名】明細書
【補正対象項目名】０１０６
【補正方法】変更
【補正の内容】
【０１０６】
[00115]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願出願の当初の特許請求の範囲に記載された発明を付記する。
［Ｃ１］
ワイヤレス通信の方法であって、
マクロノードの動作特性に従って複数のマクロセットを形成することと、
前記複数のマクロセットのうちの少なくとも１つのアクティブマクロセットを含む少なくとも１つの擬似オールモストブランクサブフレーム（ＡＢＳ）を形成することと、
範囲拡大リソースによって使用されることになるパーティションを与えるために複数のサブフレームを区分することと、ここにおいて前記区分された複数のサブフレームのうちの少なくとも１つのサブフレームが、前記形成された擬似ＡＢＳのうちの少なくとも１つを含む、
を備える、方法。
［Ｃ２］
前記動作特性が前記マクロノードのセクタ化を含み、前記方法は、
前記マクロノードに対応する複数のセクタを指定することをさらに備え、ここにおいて前記複数のマクロセットが、前記指定された複数のセクタに対応して形成される、
Ｃ１に記載の方法。
［Ｃ３］
ピコノードが擬似ＡＢＳ内でのユーザエンティティへの送信をスケジュールすることをさらに備える、Ｃ１に記載の方法。
［Ｃ４］
前記範囲拡大リソースのための前記パーティションがＡＢＳと擬似ＡＢＳの両方を含む、Ｃ１に記載の方法。
［Ｃ５］
前記範囲拡大リソースのための前記パーティションが、複数のマクロセットを有する複数の擬似ＡＢＳを含む、Ｃ１に記載の方法。
［Ｃ６］
範囲拡大ＵＥのプロパティに対応するデータを受信することと、
前記受信されたデータに少なくとも部分的に基づいて擬似ＡＢＳ中でどのマクロセットがアクティブになるかを判断することと
をさらに備える、Ｃ１に記載の方法。
［Ｃ７］
範囲拡大ＵＥのプロパティに対応する前記受信されたデータが、前記ＵＥの干渉消去能力に関するデータと、１つまたは複数のセルからの観測された信号電力データとのうちの少なくとも１つを含む、Ｃ６に記載の方法。
［Ｃ８］
ワイヤレス通信のために構成された装置であって、
マクロノードの動作特性に従って複数のマクロセットのための手段と、
前記複数のマクロセットのうちの少なくとも１つのアクティブマクロセットを含む少なくとも１つの擬似ＡＢＳを形成するための手段と、
範囲拡大リソースによって使用されることになるパーティションを与えるために複数のサブフレームを区分するための手段と、ここにおいて前記区分された複数のサブフレームのうちの少なくとも１つのサブフレームが、前記形成された擬似ＡＢＳのうちの少なくとも１つを含む、
を備える、装置。
［Ｃ９］
前記動作特性が前記マクロノードのセクタ化を含み、前記装置は、
前記マクロノードに対応する複数のセクタを指定するための手段をさらに備え、ここにおいて前記複数のマクロセットが、前記指定された複数のセクタに対応して形成される、
Ｃ８に記載の装置。
［Ｃ１０］
擬似ＡＢＳ内での範囲拡大ユーザエンティティへの送信をスケジュールするための手段をさらに備える、Ｃ８に記載の装置。
［Ｃ１１］
前記範囲拡大リソースのための前記パーティションがＡＢＳと擬似ＡＢＳの両方を含む、Ｃ８に記載の装置。
［Ｃ１２］
前記範囲拡大リソースのための前記パーティションが、複数のマクロセットを有する複数の擬似ＡＢＳを含む、Ｃ８に記載の装置。
［Ｃ１３］
範囲拡大ＵＥのプロパティに対応するデータを受信するための手段と、
前記受信されたデータに少なくとも部分的に基づいて擬似ＡＢＳ中でどのマクロセットがアクティブになるかを判断するための手段と
をさらに備える、Ｃ８に記載の装置。
［Ｃ１４］
範囲拡大ＵＥのプロパティに対応する前記受信されたデータが、前記ＵＥの干渉消去能力に関するデータと、１つまたは複数のセルからの観測された信号電力データとのうちの少なくとも１つを含む、Ｃ１３に記載の装置。
［Ｃ１５］
ワイヤレスネットワークにおけるワイヤレス通信のためのコンピュータプログラム製品であって、
プログラムコードを記録した非一時的コンピュータ可読媒体を備え、前記プログラムコードは、
コンピュータに、
マクロノードの動作特性に従って複数のマクロセットを形成することと、
前記複数のマクロセットのうちの少なくとも１つのアクティブマクロセットを含む少なくとも１つの擬似ＡＢＳを形成することと、
範囲拡大リソースによって使用されることになるパーティションを与えるために複数のサブフレームを区分することと、ここにおいて前記区分された複数のサブフレームのうちの少なくとも１つのサブフレームが、前記形成された擬似ＡＢＳのうちの少なくとも１つを含む、
を行わせるプログラムコード
を含む、コンピュータプログラム製品。
［Ｃ１６］
前記動作特性が前記マクロノードのセクタ化を含み、前記プログラム製品が、前記マクロノードに対応する複数のセクタを指定するためのプログラムコードをさらに備え、ここにおいて前記複数のマクロセットが、前記指定された複数のセクタに対応して形成される、Ｃ１５に記載のコンピュータプログラム製品。
［Ｃ１７］
コンピュータに擬似ＡＢＳ内でのユーザエンティティへの送信をスケジュールさせるプログラムコードをさらに備える、Ｃ１５に記載のコンピュータプログラム製品。
［Ｃ１８］
前記範囲拡大リソースのための前記パーティションがＡＢＳと擬似ＡＢＳの両方を含む、Ｃ１５に記載のコンピュータプログラム製品。
［Ｃ１９］
前記範囲拡大リソースのための前記パーティションが、複数のマクロセットを有する複数の擬似ＡＢＳを含む、Ｃ１５に記載のコンピュータプログラム製品。
［Ｃ２０］
コンピュータに、
範囲拡大ＵＥのプロパティに対応するデータを受信することと、
前記受信されたデータに少なくとも部分的に基づいて擬似ＡＢＳ中でどのマクロセットがアクティブになるかを判断することと
を行わせるプログラムコードをさらに備える、Ｃ１５に記載のコンピュータプログラム製品。
［Ｃ２１］
範囲拡大ＵＥのプロパティに対応する前記受信されたデータが、前記ＵＥの干渉消去能力に関するデータと、１つまたは複数のセルからの観測された信号電力データとのうちの少なくとも１つを含む、Ｃ１９に記載のコンピュータプログラム製品。
［Ｃ２２］
ワイヤレス通信のために構成された装置であって、前記装置が、
少なくとも１つのプロセッサと、
前記少なくとも１つのプロセッサに結合されたメモリと
を備え、
ここにおいて前記少なくとも１つのプロセッサは、
マクロノードの動作特性に従って複数のマクロセットを形成することと、
前記複数のマクロセットのうちの少なくとも１つのアクティブマクロセットを含む少なくとも１つの擬似ＡＢＳを形成することと、
範囲拡大リソースによって使用されることになるパーティションを与えるために複数のサブフレームを区分することと、ここにおいて前記区分された複数のサブフレームのうちの少なくとも１つのサブフレームが、前記形成された擬似ＡＢＳのうちの少なくとも１つを含む、
を行うように構成された、
装置。
［Ｃ２３］
前記動作特性が前記マクロノードのセクタ化を含み、前記少なくとも１つのプロセッサは、
前記マクロノードに対応する複数のセクタを指定するようにさらに構成され、ここにおいて前記複数のマクロセットが、前記指定された複数のセクタに対応して形成される、
Ｃ２２に記載の装置。
［Ｃ２４］
前記プロセッサが、擬似ＡＢＳ内でのユーザエンティティへの送信をスケジュールするようにさらに構成された、Ｃ２２に記載の装置。
［Ｃ２５］
前記範囲拡大リソースのための前記パーティションがＡＢＳと擬似ＡＢＳの両方を含む、Ｃ２２に記載の装置。
［Ｃ２６］
前記範囲拡大リソースのための前記パーティションが、複数のマクロセットを有する複数の擬似ＡＢＳを含む、Ｃ２２に記載の装置。
［Ｃ２７］
前記プロセッサが、
範囲拡大ＵＥのプロパティに対応するデータを受信することと、
前記受信されたデータに少なくとも部分的に基づいて擬似ＡＢＳ中でどのマクロセットがアクティブになるかを判断することと
を行うようにさらに構成された、Ｃ２２に記載の装置。
［Ｃ２８］
範囲拡大ＵＥのプロパティに対応する前記受信されたデータが、前記ＵＥの干渉消去能力に関するデータと、１つまたは複数のセルからの観測された信号電力データとのうちの少なくとも１つを含む、Ｃ２７に記載の装置。
［Ｃ２９］
ワイヤレス通信の方法であって、
ユーザエンティティがマクロノードに干渉情報を与えることと、
ピコノードによってスケジュールされた通信を受信することと、ここにおいて前記通信が、マクロノードからのデータの少なくとも１つのマクロセットに対応する情報を含む擬似ＡＢＳ上で搬送される、
を備える、方法。
［Ｃ３０］
前記少なくとも１つのマクロセット中に含まれる情報に対応する干渉を消去することをさらに備える、Ｃ２９に記載の方法。
［Ｃ３１］
前記少なくとも１つのマクロセットが、マクロノードからの制限されたデータ送信を含む、Ｃ３０に記載の方法。
［Ｃ３２］
前記データが、あらかじめ選択された優先度を有するデータを含むように制限される、Ｃ３１に記載の方法。
［Ｃ３３］
前記データが、あらかじめ選択された送信モードを有するデータを含むように制限される、Ｃ３１に記載の方法。
［Ｃ３４］
前記あらかじめ選択された送信モードがＴＭ３モードとＴＭ３／４モードとのうちの１つである、Ｃ３３に記載の方法。
［Ｃ３５］
前記データが、最小トラフィック対パイロット比を有するデータを含むように制限される、Ｃ３１に記載の方法。
［Ｃ３６］
前記データが、指定された変調およびコーディングプロパティを有するデータを含むように制限される、Ｃ３１に記載の方法。
［Ｃ３７］
前記ユーザエンティティによって与えられた前記干渉情報が、前記ユーザエンティティの干渉消去能力に関係する情報を含む、Ｃ２９に記載の方法。
［Ｃ３８］
前記干渉消去能力は、送信の制限タイプと、前記ユーザエンティティが消去することが可能な送信の数とのうちの１つまたは複数を含む、Ｃ３７に記載の方法。
［Ｃ３９］
前記ユーザエンティティによって与えられた前記干渉情報が、前記ユーザエンティティによって観測された干渉信号に関係する情報を含む、Ｃ２９に記載の方法。
［Ｃ４０］
ワイヤレス通信のために構成された装置であって、
ユーザエンティティがマクロノードに干渉情報を与えるための手段と、
ピコノードによってスケジュールされた通信を受信するための手段と、ここにおいて前記通信が、マクロノードからのデータの少なくとも１つのマクロセットに対応する情報を含む擬似ＡＢＳ上で搬送される、
を備える、装置。
［Ｃ４１］
前記少なくとも１つのマクロセット中に含まれる情報に対応する干渉を消去するための手段をさらに備える、Ｃ４０に記載の装置。
［Ｃ４２］
前記少なくとも１つのマクロセットが、マクロノードからの制限されたデータ送信を含む、Ｃ４１に記載の装置。
［Ｃ４３］
前記ユーザエンティティによって与えられた前記干渉情報が、前記ユーザエンティティの干渉消去能力に関係する情報を含む、Ｃ４０に記載の装置。
［Ｃ４４］
前記干渉消去能力は、送信の制限タイプと、前記ユーザエンティティが消去することが可能な送信の数とのうちの１つまたは複数を含む、Ｃ４３に記載の装置。
［Ｃ４５］
前記ユーザエンティティによって与えられた前記干渉情報が、前記ユーザエンティティによって観測された干渉信号に関係する情報を含む、Ｃ４０に記載の装置。
［Ｃ４６］
ワイヤレスネットワークにおけるワイヤレス通信のためのコンピュータプログラム製品であって、
プログラムコードを記録した非一時的コンピュータ可読媒体を備え、前記プログラムコードは、
コンピュータに、
ユーザエンティティがマクロノードに干渉情報を与えることと、
ピコノードによってスケジュールされた通信を受信することと、ここにおいて前記通信が、マクロノードからのデータの少なくとも１つのマクロセットに対応する情報を含む擬似ＡＢＳ上で搬送される、
を行わせるためプログラムコード
を含む、コンピュータプログラム製品。
［Ｃ４７］
コンピュータに前記少なくとも１つのマクロセット中に含まれる情報に対応する干渉を消去させるコードさらに備える、Ｃ４６に記載のコンピュータプログラム製品。
［Ｃ４８］
前記少なくとも１つのマクロセットが、マクロノードからの制限されたデータ送信を含む、Ｃ４７に記載のコンピュータプログラム製品。
［Ｃ４９］
前記ユーザエンティティによって与えられた前記干渉情報が、前記ユーザエンティティの干渉消去能力に関係する情報を含む、Ｃ４６に記載のコンピュータプログラム製品。
［Ｃ５０］
前記干渉消去能力は、送信の制限タイプと、前記ユーザエンティティが消去することが可能な送信の数とのうちの１つまたは複数を含む、Ｃ４９に記載のコンピュータプログラム製品。
［Ｃ５１］
前記ユーザエンティティによって与えられた前記干渉情報が、前記ユーザエンティティによって観測された干渉信号に関係する情報を含む、Ｃ４６に記載のコンピュータプログラム製品。
［Ｃ５２］
ワイヤレス通信のために構成された装置であって、前記装置が、
少なくとも１つのプロセッサと、
前記少なくとも１つのプロセッサに結合されたメモリと
を備え、
ここにおいて前記少なくとも１つのプロセッサは、
ユーザエンティティがマクロノードに干渉情報を与えることと、
ピコノードによってスケジュールされた通信を受信することと、ここにおいて前記通信が、マクロノードからのデータの少なくとも１つのマクロセットに対応する情報を含む擬似ＡＢＳ上で搬送される、
を行うように構成された、
装置。
［Ｃ５３］
前記プロセッサが、前記少なくとも１つのマクロセット中に含まれる情報に対応する干渉を消去するようにさらに構成された、Ｃ５２に記載の装置。
［Ｃ５４］
前記少なくとも１つのマクロセットが、マクロノードからの制限されたデータ送信を含む、Ｃ５３に記載の装置。
［Ｃ５５］
前記ユーザエンティティによって与えられた前記干渉情報が、前記ユーザエンティティの干渉消去能力に関係する情報を含む、Ｃ５２に記載の装置。
［Ｃ５６］
前記干渉消去能力は、送信の制限タイプと、前記ユーザエンティティが消去することが可能な送信の数とのうちの１つまたは複数を含む、Ｃ５５に記載の装置。
［Ｃ５７］
前記ユーザエンティティによって与えられた前記干渉情報が、前記ユーザエンティティによって観測された干渉信号に関係する情報を含む、Ｃ５２に記載の装置。
［Ｃ５８］
ワイヤレス通信の方法であって、
マクロノードから複数のサブフレームへのアクセスを受信することと、ここにおいて前記複数のサブフレームのうちの少なくとも１つが、マクロノードからのデータの少なくとも１つのマクロセットに対応する情報を含む擬似ＡＢＳを含む、
範囲拡大ユーザエンティティによって使用されるように前記少なくとも１つの擬似ＡＢＳをスケジュールすることと
を備える、方法。
［Ｃ５９］
マクロノードに干渉情報を与えることをさらに備える、Ｃ５８に記載の方法。
［Ｃ６０］
干渉情報が、１つまたは複数の範囲拡大ユーザエンティティの干渉消去能力に関係する情報を含む、Ｃ５９に記載の方法。
［Ｃ６１］
前記少なくとも１つの擬似ＡＢＳをスケジュールすることが、
マクロノードからのデータのマクロセットのうちの第１のセットを有する擬似ＡＢＳを利用するように少なくとも１つのユーザエンティティをスケジュールすることと、
マクロノードからのデータのマクロセットのうちの第２のセットを有する擬似ＡＢＳを利用するように異なるユーザエンティティをスケジュールすることと
を含む、Ｃ５９に記載の方法。
［Ｃ６２］
マクロノードから更新された複数のサブフレームを受信することと、
前記受信された複数のサブフレームの変化に応答してスケジューリングプロシージャを更新することと
をさらに備える、Ｃ５８に記載の方法。
［Ｃ６３］
ワイヤレス通信のために構成された装置であって、
マクロノードから複数のサブフレームへのアクセスを受信するための手段と、ここにおいて前記複数のサブフレームのうちの少なくとも１つが、マクロノードからのデータの少なくとも１つのマクロセットに対応する情報を含む擬似ＡＢＳを含む、
範囲拡大ユーザエンティティによって使用されるように前記少なくとも１つの擬似ＡＢＳをスケジュールするための手段と
を備える、装置。
［Ｃ６４］
マクロノードに干渉情報を与えるための手段をさらに備える、Ｃ６３に記載の装置。
［Ｃ６５］
干渉情報が、１つまたは複数の範囲拡大ユーザエンティティの干渉消去能力に関係する情報を含む、Ｃ６４に記載の装置。
［Ｃ６６］
前記少なくとも１つの擬似ＡＢＳをスケジュールするための手段が、
マクロノードからのデータのマクロセットのうちの第１のセットを有する擬似ＡＢＳを利用するように少なくとも１つのユーザエンティティをスケジュールするための手段と、
マクロノードからのデータのマクロセットのうちの第２のセットを有する擬似ＡＢＳを利用するように異なるユーザエンティティをスケジュールするための手段と
を含む、Ｃ６４に記載の装置。
［Ｃ６７］
マクロノードから更新された複数のサブフレームを受信するための手段と、
前記受信された複数のサブフレームの変化に応答してスケジューリングプロシージャを更新するための手段と
をさらに備える、Ｃ６３に記載の装置。
［Ｃ６８］
ワイヤレスネットワークにおけるワイヤレス通信のためのコンピュータプログラム製品であって、
プログラムコードを記録した非一時的コンピュータ可読媒体を備え、前記プログラムコードは、
コンピュータに、
マクロノードから複数のサブフレームへのアクセスを受信することと、ここにおいて前記複数のサブフレームのうちの少なくとも１つが、マクロノードからのデータの少なくとも１つのマクロセットに対応する情報を含む擬似ＡＢＳを含む、
範囲拡大ユーザエンティティによって使用されるように前記少なくとも１つの擬似ＡＢＳをスケジュールすることと
を行わせるプログラムコード
を含む、コンピュータプログラム製品。
［Ｃ６９］
コンピュータに、マクロノードに干渉情報を与えさせるプログラムコードをさらに備える、Ｃ６８に記載のコンピュータプログラム製品。
［Ｃ７０］
干渉情報が、１つまたは複数の範囲拡大ユーザエンティティの干渉消去能力に関係する情報を含む、Ｃ６９に記載のコンピュータプログラム製品。
［Ｃ７１］
コンピュータに前記少なくとも１つの擬似ＡＢＳをスケジュールさせるプログラムコードが、コンピュータに、
マクロノードからのデータのマクロセットのうちの第１のセットを有する擬似ＡＢＳを利用するように少なくとも１つのユーザエンティティをスケジュールすることと、
マクロノードからのデータのマクロセットのうちの第２のセットを有する擬似ＡＢＳを利用するように異なるユーザエンティティをスケジュールすることと
を行わせるコードを含む、Ｃ６９に記載のコンピュータプログラム製品。
［Ｃ７２］
コンピュータに、
マクロノードから更新された複数のサブフレームを受信することと、
前記受信された複数のサブフレームの変化に応答してスケジューリングプロシージャを更新することと
を行わせるプログラムコードをさらに備える、Ｃ６８に記載のコンピュータプログラム製品。
［Ｃ７３］
ワイヤレス通信のために構成された装置であって、前記装置が、
少なくとも１つのプロセッサと、
前記少なくとも１つのプロセッサに結合されたメモリと
を備え、
ここにおいて前記少なくとも１つのプロセッサは、
マクロノードから複数のサブフレームへのアクセスを受信することと、ここにおいて前記複数のサブフレームのうちの少なくとも１つが、マクロノードからのデータの少なくとも１つのマクロセットに対応する情報を含む擬似ＡＢＳを含む、
範囲拡大ユーザエンティティによって使用されるように前記少なくとも１つの擬似ＡＢＳをスケジュールすることと
を行うように構成された、
装置。
［Ｃ７４］
前記プロセッサが、マクロノードに干渉情報を与えるようにさらに構成された、Ｃ７３に記載の装置。
［Ｃ７５］
干渉情報が、１つまたは複数の範囲拡大ユーザエンティティの干渉消去能力に関係する情報を含む、Ｃ７４に記載の装置。
［Ｃ７６］
前記プロセッサが、
マクロノードからのデータのマクロセットのうちの第１のセットを有する擬似ＡＢＳを利用するように少なくとも１つのユーザエンティティをスケジュールすることと、
マクロノードからのデータのマクロセットのうちの第２のセットを有する擬似ＡＢＳを利用するように異なるユーザエンティティをスケジュールすることと
を行うようにさらに構成された、Ｃ７４に記載の装置。
［Ｃ７７］
前記プロセッサが、
マクロノードから更新された複数のサブフレームを受信することと、
前記受信された複数のサブフレームの変化に応答してスケジューリングプロシージャを更新することと
を行うようにさらに構成された、Ｃ７３に記載の装置。